(57)【要約】【課題】絶縁ヤットコの一対の挟持体が、間接活線用クリップの一対のクリップ部材の把持部を把持するときに、枢結部側に移動することを阻止できるようにする。【解決手段】本発明の間接活線用クリップは、それぞれが接離可能な挟持部及び挟持部に対して所定角度をもって連続する把持部を有する一対のクリップ部材と、互いの挟持部と把持部との間を回転可能に連結する枢結部と、互いの挟持部を閉じる方向に付勢する弾性部材とを備え、枢結部を中心にして所定角度に開いた状態になる一対の把持部のそれぞれには、挟持部と所定の角度となるように延びる把持部本体と、把持部本体の延びる方向に対して枢結部側に向かうにしたがって大きく離間するように傾斜する傾斜部であって、絶縁ヤットコの挟持体が枢結部側に移動することを阻止する傾斜部を有するヤットコ把持部とを備える。【選択図】図１
2017108574.tif 000002
【特許請求の範囲】
【請求項１】
それぞれが接離可能な挟持部、及び該挟持部に対して所定角度をもって連続する把持部を有する一対のクリップ部材と、互いの挟持部と把持部との間を回転可能に連結する枢結部と、互いの挟持部を閉じる方向に付勢する弾性部材とを備え、
前記枢結部を中心にして所定角度に開いた状態になる一対の把持部のそれぞれには、前記挟持部と所定の角度となるように延びる把持部本体と、該把持部本体の延びる方向に対して枢結部側に向かうにしたがって大きく離間するように傾斜する傾斜部であって、絶縁ヤットコの挟持体が前記枢結部側に移動することを阻止する傾斜部を有するヤットコ把持部とを備えたことを特徴とする間接活線用クリップ。
【請求項２】
前記傾斜部は、弾性変形可能に構成されることを特徴とする請求項１に記載の間接活線用クリップ。
【請求項３】
前記傾斜部は、把持部本体に対して着脱可能に構成されることを特徴とする請求項１又は２に記載の間接活線用クリップ。
【請求項４】
前記傾斜部は、環状外皮部材によって把持部に固定されることを特徴とする請求項１乃至３のいずれか１項に記載の間接活線用クリップ。
【請求項５】
それぞれが接離可能な挟持部、及び該挟持部に対して所定角度をもって連続する把持部を有する一対のクリップ部材と、互いの挟持部と把持部との間を回転可能に連結する枢結部と、互いの挟持部を閉じる方向に付勢する弾性部材とを備えた間接活線用クリップのアダプタであって、
該アダプタは、枢結部を中心にして所定角度に開いた状態になる一対の把持部のそれぞれに着脱可能なアダプタ本体を備え、
該アダプタ本体は、挟持部と所定の角度となるように延びる把持部に対して枢結部側に向かうにしたがって離間するように傾斜する傾斜部であって、絶縁ヤットコの挟持体が前記枢結部側に移動することを阻止する傾斜部を有することを特徴とする間接活線用クリップのアダプタ。
【請求項６】
前記傾斜部は、弾性変形可能に構成されることを特徴とする請求項５に記載の間接活線用クリップのアダプタ。
【請求項７】
前記傾斜部は、環状外皮部材によって把持部に固定されることを特徴とする請求項５又は６に記載の間接活線用クリップのアダプタ。
【発明の詳細な説明】
【技術分野】
【０００１】
本発明は、例えば、間接活線工法で使用される絶縁シート等を挟持するための間接活線用クリップ及び間接活線用クリップのアダプタに関する。
【背景技術】
【０００２】
従来より、充電部（電線）を覆う絶縁シートを巻くなどの作業のために間接活線用クリップが使用される。
【０００３】
間接活線用クリップ１００は、図７に示す如く、それぞれが接離可能な挟持部１０２、及び該挟持部１０２に対して所定角度をもって連続する把持部１０３を有する一対のクリップ部材１０１，１０１と、互いの挟持部１０２と把持部１０３との間を回転可能に連結する枢結部１０４と、互いの挟持部１０２を閉じる方向に付勢する弾性部材Ｓとを備える。
【０００４】
そして、枢結部１０４を中心にして所定角度に開いた状態になる一対の把持部１０３，１０３のそれぞれには、挟持部１０２と所定の角度となるように延びる把持部本体１０３ａ，１０３ａを備える（特許文献１参照）。
【先行技術文献】
【特許文献】
【０００５】
【特許文献１】特許第５５６７１６４号公報
【発明の概要】
【発明が解決しようとする課題】
【０００６】
ところで、前記間接活線用クリップ１００は、一対の把持部本体１０３ａ，１０３ａが枢結部１０４を中心にして所定角度に開いた状態（端部に向かうにしたがって大きく開口した状態）になっているため、絶縁ヤットコの一対の挟持体で、一対のクリップ部材１０１，１０１の一対の把持部１０３，１０３を把持した場合、一対の把持部１０３，１０３と、絶縁ヤットコの一対の挟持面との接触面積が少なく、絶縁ヤットコの一対の挟持体による挟持力が、一対のクリップ部材１０１，１０１の一対の把持部１０３，１０３に十分に伝達されず、一対のクリップ部材１０１，１０１の一対の挟持部１０２，１０２を開くにしたがって、絶縁ヤットコの一対の挟持体が一対のクリップ部材１０１，１０１の枢結部１０４側に移動し、閉じた状態の一対の挟持部１０２，１０２を開くことができないという問題がある。
【０００７】
そこで、本発明は、上記課題に鑑み、絶縁ヤットコの一対の挟持体が、間接活線用クリップの一対のクリップ部材の把持部を把持するときに、枢結部側に移動することを阻止できるようにした間接活線用クリップ及び間接活線用クリップのアダプタを提供することを目的とする。
【課題を解決するための手段】
【０００８】
本発明に係る間接活線用クリップは、それぞれが接離可能な挟持部、及び該挟持部に対して所定角度をもって連続する把持部を有する一対のクリップ部材と、互いの挟持部と把持部との間を回転可能に連結する枢結部と、互いの挟持部を閉じる方向に付勢する弾性部材とを備え、枢結部を中心にして所定角度に開いた状態になる一対の把持部のそれぞれには、挟持部と所定の角度となるように延びる把持部本体と、該把持部本体の延びる方向に対して枢結部側に向かうにしたがって大きく離間するように傾斜する傾斜部であって、絶縁ヤットコの挟持体が前記枢結部側に移動することを阻止する傾斜部を有するヤットコ把持部とを備えたことを特徴とする。
【０００９】
かかる構成によれば、枢結部を中心にして所定角度に開いた状態の間接活線用クリップの一対のクリップ部材のヤットコ把持部が、絶縁ヤットコの一対の挟持体によって挟持された状態から、絶縁ヤットコの一対の挟持体を操作して、一対のクリップ部材の挟持部を開いた状態に移行する過程にあって、絶縁ヤットコの一対の挟持体が、一対のクリップ部材のヤットコ把持部の傾斜部側に滑って移動したとしても、傾斜部によって一対の挟持体の枢結部側への移動が阻止される。
【００１０】
これにより、間接活線用クリップの一対の把持部において絶縁ヤットコの一対の挟持体が位置決めされ、間接活線用クリップの一対の把持部に対する、絶縁ヤットコの一対の挟持体の接触面積が確保され、絶縁ヤットコの一対の挟持体による挟持力が十分に伝達され、間接活線用クリップの一対の挟持部を確実に開くことができる。
【００１１】
本発明に係る間接活線用クリップの一態様として、前記傾斜部は、弾性変形可能に構成されることが好ましい。
【００１２】
かかる構成によれば、前記傾斜部が弾性変形することにより、絶縁ヤットコの一対の挟持体が傾斜部に食い込むことになり、傾斜部の一部がへこんで、傾斜部と絶縁ヤットコの一対の挟持体との摩擦抵抗が大きくなり、絶縁ヤットコの一対の挟持体の前記枢結部側への移動をより強固に阻止できる。
【００１３】
本発明に係る間接活線用クリップの他態様として、前記傾斜部は、把持部本体に対して着脱可能に構成されることが好ましい。
【００１４】
かかる構成によれば、既存の間接活線用クリップの把持部に傾斜部を容易に取り付けることができる。
【００１５】
本発明に係る間接活線用クリップの他態様として、前記傾斜部は、環状外皮部材によって把持部に固定されることが好ましい。
【００１６】
かかる構成によれば、既存の間接活線用クリップの把持部に傾斜部を容易に固定することができる。
【００１７】
本発明の間接活線用クリップのアダプタは、それぞれが接離可能な挟持部、及び該挟持部に対して所定角度をもって連続する把持部を有する一対のクリップ部材と、互いの挟持部と把持部との間を回転可能に連結する枢結部と、互いの挟持部を閉じる方向に付勢する弾性部材とを備えた間接活線用クリップのアダプタであって、該アダプタは、枢結部を中心にして所定角度に開いた状態になる一対の把持部のそれぞれに着脱可能なアダプタ本体を備え、該アダプタ本体は、挟持部と所定の角度となるように延びる把持部に対して枢結部側に向かうにしたがって離間するように傾斜する傾斜部であって、絶縁ヤットコの挟持体が前記枢結部側に移動することを阻止する傾斜部を有することを特徴とする。
【００１８】
本発明に係る間接活線用クリップの一態様として、前記傾斜部は、弾性変形可能に構成されることが好ましい。
【００１９】
本発明に係る間接活線用クリップの他態様として、前記傾斜部は、環状外皮部材によって把持部に固定されることが好ましい。
【発明の効果】
【００２０】
以上のように、本発明によれば、絶縁ヤットコの一対の挟持体が、間接活線用クリップの一対のクリップ部材の把持部を把持するときに、枢結部側に移動することを阻止できる、といった優れた効果を奏し得る。
【図面の簡単な説明】
【００２１】
【図１】図１は、本発明の一実施形態に係る間接活線用クリップの一対の挟持部が閉じられた状態を示す図である。
【図２】図２は、同実施形態に係る間接活線用クリップの一対の挟持片が絶縁ヤットコの一対の把持部によって開かれた状態を示す図である。
【図３】図３は、絶縁ヤットコを示す図である。
【図４】図４は、同実施形態に係る間接活線用クリップの使用態様を示す図である。
【図５】図５は、間接活線用クリップの変形例を示す図である。
【図６】図６は、間接活線用クリップのアダプタを示す図である。
【図７】図７は、従来の間接活線用クリップを示す図である。
【発明を実施するための形態】
【００２２】
本発明の実施形態に係る間接活線用クリップについて図面を参照して説明する。
【００２３】
まず、本実施形態に係る間接活線用クリップを説明するに先立って、絶縁ヤットコについて説明する。
【００２４】
絶縁ヤットコは、図３に示す如く、作業者によって支持される絶縁操作棒１１を備える。
【００２５】
絶縁操作棒１１は、棒本体１１ａと、該棒本体１１ａの基端側に配置され、作業者が把持するためのグリップ１２とを有する。
【００２６】
また、絶縁操作棒１１の先端には、互いの挟持面１３ａ，１３ａが平行した状態で接離可能な一対の挟持体１３，１３が設けられ、絶縁操作棒１１の基端側には、一対の挟持体１３，１３を操作するための操作部１４が設けられる。
【００２７】
また、該操作部１４の動作を一対の挟持体１３，１３に伝達する伝達棒１５をさらに備える。
【００２８】
本実施形態に係る間接活線用クリップ１は、図１及び図２に示す如く、それぞれが接離可能な挟持部２０、及び該挟持部２０に対して所定角度をもって連続する把持部２１を有する一対のクリップ部材２，２と、互いの挟持部２０と把持部２１との間を回転可能に連結する枢結部２２と、互いの挟持部２０を閉じる方向に付勢する弾性部材Ｓとを備える。
【００２９】
枢結部２２を中心にして所定角度に開いた状態になる一対の把持部２１，２１のそれぞれには、挟持部２０と所定の角度となるように延びる把持部本体２１ａと、該把持部本体２１ａの延びる方向に対して枢結部２２側に向かうにしたがって大きく離間するように傾斜する傾斜部３ａであって、絶縁ヤットコ１０の挟持体１３，１３が前記枢結部２２側に移動することを阻止する傾斜部３ａを有するヤットコ把持部３とを備える。また、一対のクリップ部材（挟持部２０及び把持部２１を含む）２，２は、絶縁性の素材で作製される。
【００３０】
一対のクリップ部材２，２は、枢結部２２の軸２３によって回転可能に支持される。具体的には、一対の挟持部２０，２０の基端部が、軸２３によって回動可能に連結されるとともに、一対の挟持部２０，２０の先端部の内面同士が接離可能に構成される。また、一対の挟持部２０，２０において、基端部と先端部とを除く部位は、軸２３の中心及び一対の挟持部２０，２０間を通る直線に対して、互いに離間するよう湾曲している。すなわち、一対の挟持部２０，２０は、絶縁シートで被覆された部材を外側から挟み込みやすい形状になっている。
【００３１】
弾性部材Ｓは捻りバネであり、一対のクリップ部材２，２の挟持部２０，２０を閉じる方向に付勢する。これにより、一対の挟持部２０，２０の先端部は閉じられた状態になり、一対のクリップ部材２，２の把持部２１，２１は、枢結部２２を中心にして所定角度に開いた状態（端部に向かうにしたがって大きく開口した状態）になる。
【００３２】
ヤットコ把持部３は、弾性変形可能な素材で構成され、断面が台形状の環状体である。そして、前記傾斜部３ａは、一対の挟持部２０，２０の対向面とは反対側に配置されている。すなわち、前記傾斜部３ａは、ヤットコ１０の一対の挟持体１３，１３の挟持面１３ａ，１３ａに対向する位置関係（ヤットコ１０の一対の挟持体１３，１３の挟持面１３ａ，１３ａによって挟持可能な位置関係）にある。また、ヤットコ把持部３は、枢結部２２と把持部２１との間に配置される。
【００３３】
つぎに本実施形態に係る間接活線用クリップの使用態様について図４を参照して説明する。なお、間接活線用クリップ１の一対の挟持部２０，２０は閉じられた状態にあるものとする。
【００３４】
作業者Ａは、所要の作業を行う箇所に移動して、一対のクリップ部材２，２の挟持部２０，２０が閉じられた状態において、一対のクリップ部材２，２の把持部２１，２１のそれぞれを絶縁ヤットコ１０の一対の挟持体１３，１３で把持する。具体的には、枢結部２２を中心にして所定角度に開いた状態（端部に向かうにしたがって大きく開口した状態）の一対の把持部２１，２１を、互いの挟持面１３ａ，１３ａが平行した状態で接離可能な絶縁ヤットコ１０の一対の挟持体１３，１３で把持する。
【００３５】
この状態から、絶縁ヤットコ１０の一対の挟持体１３，１３を操作して、一対のクリップ部材２，２の挟持部２０，２０を開いた状態に移行する過程にあって、傾斜部３ａ，３ａは弾性変形することになる。これにより、絶縁ヤットコ１０の一対の挟持体１３，１３が傾斜部３ａ，３ａに食い込むことになり、傾斜部３ａ，３ａの一部がへこんで、傾斜部３ａ，３ａと絶縁ヤットコ１０の一対の挟持体１３，１３との摩擦抵抗が大きくなり、絶縁ヤットコ１０の一対の挟持体１３，１３の枢結部２２側への移動を強固に阻止できる。
【００３６】
その結果、間接活線用クリップ１の一対の把持部２１，２１において絶縁ヤットコ１０の一対の挟持体１３，１３が位置決めされる。これにより、間接活線用クリップ１の一対の把持部２１，２１に対する、絶縁ヤットコ１０の一対の挟持体１３，１３の接触面積が十分に確保され、絶縁ヤットコ１０の一対の挟持体１３，１３による挟持力が伝達され、間接活線用クリップ１の一対の挟持部２０，２０を確実に開くことができる。
【００３７】
喩え、絶縁ヤットコ１０の一対の挟持体１３，１３が、一対のクリップ部材２，２のヤットコ把持部３，３の傾斜部３ａ，３ａ側に滑って移動したとしても、傾斜部３ａ，３ａによって一対の挟持体１３，１３の枢結部２２側への移動が阻止される。
【００３８】
つぎに、作業者Ａは、絶縁ヤットコ１０の一対の挟持体１３，１３を開閉操作して、間接活線用クリップ１の一対の挟持部２０，２０を開閉し、例えば、充電部に絶縁シートの端部を把持して被せたりすることができる。
【００３９】
以上のように、本実施形態に係る間接活線用クリップ１によれば、絶縁ヤットコ１０の一対の挟持体１３，１３が一対のクリップ部材２，２の枢結部２２側に移動することを阻止することができる。
【００４０】
なお、本発明に係る間接活線用クリップは、前記実施形態に限定することなく種々変更することができる。
【００４１】
例えば、前記実施形態の場合、ヤットコ把持部３を一対のクリップ部材２，２の把持部２１，２１に直接設けるようにしたが、図５に示す如く、環状外皮部材３０によって固定するようにしてもよい。この場合、既存の間接活線用クリップの一対の把持部にもヤットコ把持部３を容易に固定することができる。
【００４２】
また、前記実施形態の場合、一対のクリップ部材２，２の挟持部２０，２０が閉じた状態で、且つ一対のクリップ部材２，２の把持部２１，２１が開いた状態の間接活線用クリップを例にとって説明したが、一対のクリップ部材の挟持部及び把持部が開いた状態の間接活線用クリップの把持部にも適用することができる。
【００４３】
また、前記実施形態の場合、一対のクリップ部材２，２の把持部２１，２１に、ヤットコ把持部３を設けるようにしたが、既存の間接活線用クリップの一対の把持部２１，２１に間接活線用クリップのアダプタを着脱可能に取り付けるようにしてもよい。この種のアダプタについて以下に説明する。
【００４４】
アダプタ５は、図６に示す如く、枢結部２２を中心にして所定角度に開いた状態になる一対の把持部２１，２１のそれぞれに着脱可能なアダプタ本体５０を備える。
【００４５】
アダプタ本体５０は、挟持部２０と所定の角度となるように延びる把持部２１に対して枢結部２２側に向かうにしたがって離間するように傾斜する傾斜部５１であって、絶縁ヤットコ１０の挟持体１３が前記枢結部２２側に移動することを阻止する傾斜部５１を有する。
【００４６】
また、アダプタ本体５０は、弾性変形可能に構成されてもよいし、図５の場合と同様に、環状外皮部材３０によって把持部２１に固定されてもよい。
【符号の説明】
【００４７】
１，１００…間接活線用クリップ、２，１０１…クリップ部材、３…ヤットコ把持部、３ａ…傾斜部、１０…絶縁ヤットコ、１１…絶縁操作棒、１１ａ…棒本体、１２…グリップ、１３…挟持体、１３ａ…挟持面、１４…操作部、１５…伝達棒、２０，１０２…挟持部、２１，１０３…把持部、２１ａ，１０３ａ…把持部本体、２２，１０４…枢結部、２３…軸、３０…環状外皮部材、５０…アダプタ本体、５１…傾斜部、Ａ…作業者、Ｓ…弾性部材
【図１】
2017108574.tif 000003
【図２】
2017108574.tif 000004
【図３】
2017108574.tif 000005
【図４】
2017108574.tif 000006
【図５】
2017108574.tif 000007
【図６】
2017108574.tif 000008
【図７】
2017108574.tif 000009